(57)【要約】  復調器が、受信信号内のエコー信号特性を消去して主信号を生成し、さらに受信信号内の主信号特性を消去して別のエコー信号を生成する。さらに、復調器は、比較／合成動作において主信号とエコー信号とを合成して、第３の合成信号を生成することができる。その後、主信号、エコー信号及び合成信号の３つの信号全てにおいてエラー訂正動作を実行することができ、これらのエラー訂正動作の結果を用いて、３つの信号のうちのいずれが伝送ストリームとなるかを選択する。【選択図】図１
2009534878.tif 000002
【特許請求の範囲】
【請求項１】
受信信号を復調する方法であって、
前記受信信号内のエコー信号特性を消去して主信号を生成するステップと、
前記受信信号内の主信号特性を消去してエコー信号を生成するステップと、
前記主信号と前記エコー信号とを合成して合成信号を生成するステップと、
前記主信号、エコー信号及び合成信号の各々においてエラー訂正動作を行うステップと、
前記エラー訂正動作の結果に基づいて、前記主信号、エコー信号及び合成信号のうちの１つを選択するステップと、
を含むことを特徴とする方法。
【請求項２】
前記受信信号は中間周波数ＡＴＳＣデジタル信号である、
ことを特徴とする請求項１に記載の方法。
【請求項３】
前記主信号とエコー信号とを合成するステップは、
前記主信号及び前記エコー信号のビット毎の比較を行うステップと、
前記ビット毎の比較に基づいて、前記主信号及びエコー信号のうちの一方からビットを選択するステップと、
前記選択に基づいて前記合成信号を生成するステップと、
を含むことを特徴とする請求項１に記載の方法。
【請求項４】
前記結果は、前記主信号及びエコー信号の差をサンプリングすることにより決定される信頼度である、
ことを特徴とする請求項１に記載の方法。
【請求項５】
エラー訂正動作を行うステップは、前記主信号、エコー信号及び合成信号のそれぞれにおいてリードソロモン前方エラー訂正動作を行うステップを含む、
ことを特徴とする請求項１に記載の方法。
【請求項６】
前記方法は、前記選択の前に、前記主信号、エコー信号及び合成信号を評価し、いずれの信号が正しい可能性が最も高いかを決定するステップをさらに含む、
ことを特徴とする請求項１に記載の方法。
【請求項７】
評価ステップは、前記エラー訂正動作中に生成された１又はそれ以上の前方誤り訂正フラグをモニタするステップを含む、
ことを特徴とする請求項６に記載の方法。
【請求項８】
前記主信号、エコー信号及び合成信号のうちの選択された１つを伝送ストリームとして出力するステップをさらに含む、
ことを特徴とする請求項１に記載の方法。
【請求項９】
受信信号を復調するための方法であって、
前記受信信号を等化して主信号を生成するステップと、
前記受信信号を等化してエコー信号を生成するステップと、
前記主信号及びエコー信号に基づいて合成信号を生成するステップと、
前記主信号、エコー信号及び合成信号の各々においてエラー訂正動作を行うステップと、
前記エラー訂正動作に基づいて、前記主信号、エコー信号及び合成信号のうちの１つを選択して伝送ストリームとするステップと、
を含むことを特徴とする方法。
【請求項１０】
前記合成信号を生成するステップは、
前記主信号及び前記エコー信号のビット毎の比較を行うステップと、
前記ビット毎の比較の結果に基づいて、前記主信号及びエコー信号の一方からビットを選択するステップと、
前記選択に基づいて前記合成信号を生成するステップと、
を含むことを特徴とする請求項９に記載の方法。
【請求項１１】
前記エラー訂正動作を行うステップは、前記主信号、エコー信号及び合成信号の各々においてリードソロモン前方エラー訂正動作を行うステップを含む、
ことを特徴とする請求項９に記載の方法。
【請求項１２】
前記方法は、前記選択ステップの前に、
前記エラー訂正動作中に生成された１又はそれ以上の前方誤り訂正フラグをモニタするステップと、
前記１又はそれ以上の前方誤り訂正フラグを評価して、前記主信号、エコー信号及び合成信号のいずれが正しい可能性が最も高いかを判定するステップと、
をさらに含むことを特徴とする請求項９に記載の方法。
【請求項１３】
前記主信号、エコー信号及び合成信号のうちの選択された１つを伝送ストリームとして出力するステップをさらに含む、
ことを特徴とする請求項９に記載の方法。
【請求項１４】
受信した無線周波数信号を復調するためのデジタル復調器であって、
エコー信号キャンセラと、
主信号キャンセラと、
前記エコー信号キャンセラ及び主信号キャンセラに結合された信号合成回路と、
前記エコー信号キャンセラに結合された第１の誤り訂正回路と、
前記主信号キャンセラに結合された第２の誤り訂正回路と、
前記信号合成回路に結合された第３の誤り訂正回路と、
前記第１の誤り訂正回路、第２の誤り訂正回路及び第３の誤り訂正回路のそれぞれに結合された信号セレクタと、
を含むことを特徴とする復調器。
【請求項１５】
前記エコー信号キャンセラは、前記受信信号の出力エコー特性を等化する等化器である、
ことを特徴とする請求項１４に記載の復調器。
【請求項１６】
前記主信号キャンセラは、前記受信信号の主特性を等化する等化器である、
ことを特徴とする請求項１４に記載の復調器。
【請求項１７】
前記第１の誤り訂正回路は、前記エコー信号キャンセラから受信した主信号においてリードソロモン前方誤り訂正を行うように構成される、
ことを特徴とする請求項１４に記載の復調器。
【請求項１８】
前記第２の誤り訂正回路は、前記主信号キャンセラから受信したエコー信号においてリードソロモン前方誤り訂正を行うように構成される、
ことを特徴とする請求項１４に記載の復調器。
【請求項１９】
前記信号合成器は、前記エコー信号キャンセラから受信した主信号と、前記主信号キャンセラから受信したエコー信号とのビット毎の比較及び合成を行うように構成される、
ことを特徴とする請求項１４に記載の復調器。
【請求項２０】
前記信号セレクタは、前記第１の誤り訂正回路、第２の誤り訂正回路及び第３の誤り訂正回路の各々から受信した複数の信号から好ましい信号を選択するように構成される、
ことを特徴とする請求項１４に記載の復調器。
【発明の詳細な説明】
【技術分野】
【０００１】
本発明は、一般に無線周波数信号に関し、特に、主信号(primary signal)と２次信号(secondary signal)の両方を復調することにより無線周波数信号受信を改善することに関する。
【背景技術】
【０００２】
ＡＴＳＣ（高度テレビシステム委員会）は、米国におけるデジタルテレビ（ＤＴＶ）の伝送、フォーマット、圧縮及び送信に関する技術を特定するデジタルテレビ（ＤＴＶ）向けの規格を開発した。例えば、いわゆる「８ＶＳＢ」とは、米国及びカナダにおけるＡＴＳＣデジタルテレビの地上波放送規格に採用された８レベル残留側波帯変調方法のことである。ＡＴＳＣを放送するために使用される６メガヘルツのチャネルでは、８ＶＳＢは、毎秒１９．３９メガビットの有効データを搬送するが、前方誤り訂正コードの追加により、実際の送信ビットレートはより大幅に高いものとなる。トレリスエンコーダを使用することにより８個の信号レベルが選択される。また、類似した変調である２ＶＳＢ、４ＶＳＢ及び１６ＶＳＢも存在する。ＡＴＳＣデジタルケーブルには、特に１６ＶＳＢを使用することが意図されていたが、代わりに直交振幅変調（ＱＡＭ）が業界標準となってきた。
【０００３】
ＡＴＳＣ受信機は、自身の動作を主信号に同期させるが、この主信号とは、通常最短の送信パスを介して受信された直接信号のことである。しかしながら、通常、主信号に対して遅延し、遅延エコー信号として現れるいわゆるマルチパス信号を他のパスを介して同様に受信することもできる。エコー信号は、場所によって、及び所定の場所におけるチャンネルによって、その数、振幅及び遅延時間が異なる。
【発明の開示】
【発明が解決しようとする課題】
【０００４】
マルチパス環境におけるエコー信号の存在は、ＡＴＳＣ受信機のような無線周波数受信機の主信号を正しく受信し復号する能力に実質的に影響を与える。マルチパス信号により、多くの無線周波数信号が損なわれる可能性があるため、より小さなマルチパス信号を消去する目的で多くのハードウェアが開発されてきた。しかしながら、このようなエコーキャンセルハードウェアが必ずしも完全に成果を上げるわけではなく、結果として信号品質が低下する可能性もある。このため、無線周波数信号受信を改善するためのシステム及び方法が必要とされている。
【課題を解決するための手段】
【０００５】
改善された無線周波数信号受信のためのシステム及び方法を本明細書において開示し、主張する。１つの実施形態では、受信信号を復調するための方法は、受信信号におけるエコー信号特性を消去して主信号を生成するステップと、受信信号における主信号を消去してエコー信号を生成するステップと、主信号とエコー信号とを合成して、合成信号を生成するステップとを含む。この方法は、主信号、エコー信号及び合成信号においてエラー訂正動作を行うステップと、行われたエラー訂正動作の結果に基づいて、主信号、エコー信号及び合成信号のうちの１つを選択するステップとをさらに含む。
【０００６】
本発明の以下の詳細な説明に照らせば、当業者には本発明の他の態様、特徴及び技術が明らかになるであろう。
【発明を実施するための最良の形態】
【０００７】
本発明の１つの態様として、ＡＴＳＣデジタル信号などの受信信号のための復調器を提供することが挙げられる。１つの実施形態では、この復調器は、受信信号におけるエコー信号特性を消去して主信号を生成し、さらに受信信号における主信号を消去して別のエコー信号を生成する。さらにこの復調器は、比較／合成(combination)動作において主信号とエコー信号とを合成し(combine)、第３の合成信号を生成することができる。次に、主信号、エコー信号及び合成信号の３つの信号全てにおいてエラー訂正動作を行うことができ、これらのエラー訂正動作の結果を用いて、３つの信号のうちのいずれが伝送ストリームとなるかを選択する。１つの実施形態では、この選択処理は、連続的かつ動的なものであり、復調器の伝送ストリームが、利用可能な最高品質の信号で構成されていることを保証するものである。１つの実施形態では、受信信号は、復調前にアナログからデジタルに変換される中間周波数のＡＴＳＣ信号又はＱＡＭ信号のうちのいずれかとなる。
【０００８】
１つの実施形態では、復調器は、主信号とエコー信号とをビット毎に比較することと、該ビット毎の比較の結果に基づいてこの２つの信号のうちの一方からビットを選択することとにより合成信号を生成する。次に、選択されたビットを使用して合成信号を形成することができる。１つの実施形態では、ビット毎の比較の結果は、主信号とエコー信号との差(margin)をサンプリングすることにより決定される信頼度である。
【０００９】
本発明の別の態様は、主信号、エコー信号及び合成信号のそれぞれに対して、リードソロモン前方誤り訂正モジュールを使用して前述のエラー訂正動作を行うことである。
【００１０】
本明細書で使用される「１つの（英文不定冠詞）」という用語は、１又はそれ以上を意味するものとする。「複数の」という用語は、２又はそれ以上を意味するものとする。「別の」という用語は、第２の又はそれ以上の、と定義される。「含む（ｉｎｃｌｕｄｉｎｇ）」及び／又は「有する（ｈａｖｉｎｇ）」という用語は、（「からなる（ｃｏｍｐｒｉｓｉｎｇ）」のような）包括的な用語であると定義される。「結合される」という用語は、必ずしも直接的接続、及び、必ずしも機械的接続を意味するものではないが、「接続される」を意味する。「プログラム」という用語、「コンピュータプログラム」という用語、及び類似の用語は、コンピュータシステム上での実行を意図する一連の命令を意味する。この用語は、サブルーチン、関数、手続き、オブジェクトメソッド、オブジェクトの実行、実行可能なアプリケーション、アプレット、サーブレット、ソースコード、オブジェクトコード、共有ライブラリ／ダイナミックロードライブラリ及び／又はコンピュータシステム上での実行を意図されるその他の一連の命令を含むことができる。
【００１１】
本明細書を通じて、「１つの実施形態」、「ある実施形態」、又は類似の用語についての言及は、実施形態に関連して説明される特定の機能、構造又は特性が、本発明の少なくとも１つの実施形態に含まれることを意味する。従って、本明細書を通じて至るところに出現するこのような語句は、必ずしも全てが同じ実施形態について言及するものではない。さらに、本発明を限定しない１又はそれ以上の実施形態に上記特定の機能、構造又は特性を任意の好適な態様で組み込むことができる。
【００１２】
本明細書で使用される「又は」という用語は、包括的ものとして解釈されるか、或いは任意の１つ又は任意の組み合わせを意味するものとする。従って、「Ａ，Ｂ又はＣ」は、「Ａ、Ｂ、Ｃ、ＡとＢ、ＡとＣ、ＢとＣ、ＡとＢとＣ、のいずれか」を意味することになる。この定義に対する例外は、要素、機能、ステップ又は動作の組み合わせが、何らかの方法で本質的に相互に限定的なものとなる場合にのみ生じることになる。
【００１３】
図１は、本発明により構成された復調器１００の１つの実施形態についての簡略化したブロック図である。無線周波数信号は、受信された後、チューナ（図示せず）により中間周波数（ＩＦ）信号１１０へダウンコンバートされる。１つの実施形態では、この信号は８ＶＳＢ信号などのＡＴＳＣ信号である。信号１１０は、アナログ・デジタル変換器（図示せず）を通過後、エコー信号キャンセラ１２０と主信号キャンセラ１３０との両方に供給される。図２を参照しながら以下でより詳細に説明するように、エコー信号キャンセラ１２０は、全ての２次信号すなわちエコー信号を消去するか、或いは別の方法で除去することにより、受信された主信号を分離するための等化器として機能する。逆に、主信号キャンセラ１３０は、主信号を等化することにより（単複の）エコー信号又はマルチパス信号のみを残すようになる。
【００１４】
エコーキャンセラ１２０から、エコーの無い主信号が、リードソロモン前方誤り訂正（ＦＥＣ）ブロック１５０などの誤り訂正ブロックへ供給される。同様に、主信号キャンセラ１３０は、すでに分離済みのエコー信号１３５を別のＦＥＣブロック１７０へ供給する。さらに、エコー信号キャンセラ１２０と主信号キャンセラ１３０の各々は、それぞれの出力信号（すなわち、主信号１２５とエコー信号１３５）を信号合成論理回路１４０へ供給する。以下でより詳細に説明するように、論理回路１４０を使用して、主信号１２５とエコー信号１３５のビット毎の比較及び合成を行うことができる。１つの実施形態では、この合成動作の結果、合成信号１４５が得られ、次にこの合成信号１４５をさらに別のＦＥＣブロック１６０へ供給することができる。
【００１５】
一般的に知られているように、リードソロモン誤り訂正とは、まず伝送するデータシンボルから多項式を構築し、次に元のシンボルの代わりにオーバサンプリングされた多項式のプロットを送信することにより動作する符号化体系のことである。オーバサンプリングされたデータ内に重複情報が含まれているため、送信エラーの際にも、或る程度のエラーまで、元の多項式、従ってデータシンボルを再構築することが可能となる。リードソロモン符号化体系を用いてＦＥＣブロック１５０、１６０及び１７０について説明してきたが、信号品質を定量化する任意のその他の誤り訂正体系を使用することもでき、或いはそこから信号品質についての表現を導き出せることも同様に理解すべきである。
【００１６】
図１の実施形態では、信号セレクタ１８０が、上述のＦＥＣブロック１５０、１６０及び１７０の各々からデータパケットを受信する。信号セレクタ１８０は、伝送ストリーム１９０として、及び復調器１００から、３つのデータストリームのうちのいずれのデータパケットを出力するかを決定する。１つの実施形態では、この選択又は多数決処理は、３つのＦＥＣブロック１５０、１６０及び１７０の各々が生成するリードソロモンＦＥＣフラグをモニタすることに基づくものである。別の実施形態では、この多数決処理は、信号１２５、１３５又は１４５のいずれが最もエラーが少ないかを判定することにより行われる。この方法では、信号セレクタ１８０は、パケットマルチプレクサとして機能することができ、エラーが最も少ないと決定された３つデータストリームのいずれかを連続して出力する。すなわち、信号が、エコー又はマルチパス信号であるからといって、その信号が必ずしも主信号よりも多くのエラーを含むことを意味するわけではない。従って、主信号の品質が低いときにエコー信号を利用して、全体的な信号受信及び復調を改善できることになる。
【００１７】
ここで図２を参照すると、本発明の原理により構成される復調器２００のより詳細な実施形態が示されている。図示してはいないが、復調器２００は、バンドパスフィルタ、増幅器及び／又はミキサーなどの任意の数の追加の信号処理構成要素に先行又は後続できるということも理解すべきである。さらに、追加の内部ＦＥＣブロック及びデインタリーバを含むこともできるが、これらの詳細は本開示の範囲を超えるものとなる。
【００１８】
図２の実施形態では、復調器２００は、（ダウンコンバート済みの中間周波数信号などの）ＲＦ信号２０５を受信し、次にこの信号をアナログ・デジタル変換器２１０へ供給する。信号２０５は、デジタルデータストリームに変換されるとすぐに、エコー信号キャンセラブロック２１２へ供給される。１つの実施形態では、エコー信号キャンセラ２１２には、エコー後遅延セル２１５、主タップ２２０、エコー前遅延セル２２５、タップセレクタ２３０及びデータ加算器２５０が設けられる。、エコー信号特性を消去することによりＩＦ信号２０５内の主信号特性を分離するために、エコー信号キャンセラブロック２１２を使用することができる。
【００１９】
１つの実施形態では、エコーキャンセラブロック２１２は、エコー後遅延セル２１５を通じて主タップ２２０へクロック制御される信号２０５からデジタルサンプルを取得することにより機能する。図２に示すように、このデジタルサンプルは、主タップ２２０からエコー前遅延セル２２５まで続く。次に、エコー後遅延セル２１５、主タップ２２０及びエコー前遅延セル２２５の３つ全てから得られるサンプルがデータ加算器２５０へ送られる。データ加算器２５０は、入力信号２０５から得られるデジタル値にアクセスするためのアルゴリズムに基づいてタップセレクタ２３０及び２３５を駆動させ、そのデジタル値が次いで混合されて、仮想的にエコーの無いデータ出力を主信号２５２の形で生成する。
【００２０】
非常に多くのタップ選択アルゴリズムの実施形態を使用してタップ選択処理を実行できると理解すべきである。本発明を限定しない実施例として、ある実施形態では、公知のパターンであるフィールド同期信号を使用して、同期が検出されるまでタップを操作する。タップがフィールド同期信号を受信するように設定された後、動的に軽微な調整を行って、（８ＶＳＢに対して８などの）公知のレベルと（１１ビットサンプルに対して２０４８などの）デジタルサンプルとの間のエラーを最小化することができる。別の実施形態では、デジタルサンプルにおいてより多い数の又はより少ない数のビットを使用することができる。このタップ選択処理は、上位ビット(MSB's)が、送信される８個のデータレベルを反映し、また下位ビット(LSB's)が、等化器が最適化しようとする最適値からの逸脱を反映するように、データを集束(converge)させる。
【００２１】
引き続き図２を参照すると、復調器２００には、遅延等化器２５７及びデータ加算器２６０から成る主信号キャンセラブロック２５５がさらに装備されている。１つの実施形態では、遅延等化器２５７及びデータ加算器２６０は、受信信号２０５の主信号特性を消去するように機能し、２次エコー信号の少なくとも１つを回復させる。１つの実施形態では、主信号キャンセラ２５５は、本来は上述したエコー信号キャンセラ２１２により消去される信号であるエコー信号２６２を出力する。同様に、主信号２５２は、主信号キャンセラ２５５により消去される信号を表す。
【００２２】
弾性遅延論理回路２４０及び２６５を用いて、主信号２５２及びエコー信号２６２が、対応する誤り訂正ブロック２４５及び２７０のそれぞれに供給される時のレートを加速又は遅延させることができる。１つの実施形態では、弾性遅延論理２４０及び２６５は、３つの誤り訂正ブロック２４５、２７０及び２８０に渡る３つの信号の同期を可能にする。弾性遅延論理２４０及び２６５を復調器２００内の別の位置に配置して、出力パケットを同期スイッチングするためのデータパケット調整と同じ結果を実現できることを理解すべきである。
【００２３】
図２の実施形態では、復調器２００は、最も少ない数のエラーを含む信号を分離し、伝送するために３つの異なる信号を分析することができる。これら３つの信号は、主信号、エコー信号２６２、及び主信号２５２とエコー信号２６２との合成から生じる第３の信号を含む。１つの実施形態では、この合成信号は、主信号２５２とエコー信号２６２のビット毎の合成に基づくものである。この合成処理は、入力信号（すなわち、主信号２５２及びエコー信号２６２）の差をサンプリングし、信頼度が最も高い信号を選択する多数決論理回路２７５により実行することができる。図２に示すように、多数決論理回路２７５は、スイッチ２８５を駆動して、より信頼度の高い信号を誤り訂正ブロック２８０へ供給する。この方法では、誤り訂正は、ブロック２８０により合成信号において行われる。８ＶＳＢ検出に要する最小判断レベルはわずか約３ビットであり、デジタル復調器は、通常１０〜１１ビットのアナログ・デジタル変換器を有するため、この過剰分解能を、予想レベルから検出レベルまでの差の表示するものとして使用することができる。従って実際のところ、この差は、信号がエラーを含まない可能性がどの程度あるかを示す信頼度である。
【００２４】
前述したように、弾性遅延論理２４０及び２６５を使用して、３つの誤り訂正ブロック２４５、２７０及び２８０に供給される３つの信号を同期させることができる。別の実施形態では、任意の追加の弾性遅延ブロック（図示せず）を使用して、誤り訂正ブロック２８０に供給される合成信号をバッファすることができる。信号の同期に使用する構成にかかわらず、多数決論理回路２９０は、３つの誤り訂正ブロック２４５、２７０及び２８０によって供給される３つの信号を受信し、評価する。次に、スイッチ２９５を制御することにより、正しいものである確率を最も高く示す信号を復調器２００からの伝送ストリーム２９７として使用することができる。１つの実施形態では、この多数決処理は、３つの入力信号に関する前方誤り訂正フラグをモニタし、適切な選択を行うことに基づくものである。１つの実施形態では、信号サンプルの１つが最適値から逸脱した場合、正しい確率がより高い別の信号サンプルの１つを代用することができる。
【００２５】
図３は、本発明の１つの実施形態についての簡略化した処理図である。この実施形態では、処理３００は、ブロック３０５におけるＩＦ信号の受信から始まり、これにブロック３１０におけるアナログ・デジタル変換動作が後続する。処理３００よりも前に、及びその一部としてではなく、ブロック３０５及び３１０が動作を行うことができることも同様に理解すべきである。いずれにせよ、結果として得られたデジタル信号は、次にブロック３１５と３２０双方に供給される。
【００２６】
ブロック３１５において、受信されたデジタル信号は、この信号が有する可能性がある任意のエコー又はマルチパス特性を消去するように処理される。これと同時に、受信信号は、ブロック３２０において主信号特性を消去し、それにより（単複の）エコー又はマルチパス信号のみを残すように処理される。１つの実施形態では、（エコー信号キャンセラ１２０などの）エコー信号キャンセラによってブロック３１５の動作を行うことができ、一方では、（主信号キャンセラ１３０などの）主信号キャンセラによってブロック３２０の動作を行うことができる。
【００２７】
ブロック３３５において、処理３００は、ブロック３１５からの出力とブロック３２０からの出力との比較へ進む。１つの実施形態では、ブロック３１５において行われる動作から得られる出力は、（主信号２５２などの）エコーの無い主信号となり、一方、ブロック３２０の動作から得られる出力は、（エコー信号２６２などの）純粋なエコー信号となる。１つの実施形態では、この比較は、上記２つの出力信号の差をサンプリングし、最も信頼度の高い信号を選択することにより行われる。次に、図３に示すように、ブロック３４０において２つの信号のビット毎の合成が完了し、ブロック３５０において合成信号が処理される。
【００２８】
１つの実施形態では、ブロック３２５、３３０及び３４５のそれぞれにおいて、同時に３つの異なる信号上で誤り訂正処理が実行される。ブロック３２５の場合、誤り訂正処理は主信号上で行われる。ブロック３３０の場合、誤り訂正処理はエコー信号上で行われるが、ブロック３４５の場合、ブロック３４０において行われたビット毎の合成の結果生じる合成信号上で誤り訂正を行うことができる。
【００２９】
１つの実施形態では、ブロック３２５，３３０及び３４５において行われる誤り訂正処理は、リードソロモンＦＥＣに基づくものであるが、受信信号の品質を表す値を定量化し、あるいは供給するその他の誤り訂正体系も使用できることを同様に理解すべきである。
【００３０】
引き続き図３を参照すると、処理３００はブロック３５０へと進み、該ブロック３５０では、ブロック３２５、３３０及び３４５においてそれぞれ行われた動作から誤り訂正情報が受信される。この比較結果に基づいて、３つの信号のうちの１つが、ブロック３５５において出力伝送信号として選択される。１つの実施形態では、ブロック３５５の信号選択動作は、３つの信号のそれぞれに対してリードソロモンＦＥＣフラグをモニタすることに基づくものである。別の実施形態では、３つの信号のうちのいずれの信号が最もエラーが少ないかを判定することにより、多数決処理が行われる。この方法で、処理３００は、復調器から出力される信号品質を改善することができる。
【００３１】
上記の例示的な実施形態のいくつかは、プログラムされたプロセッサの使用に基づくものであるが、特定用途のハードウェア及び／又は専用のプロセッサなどのハードウェア構成要素との同等物を使用して別の実施形態を実行することができるため、本発明はこのような例示的な実施形態に限定されるものではない。同様に、汎用コンピュータ、マイクロプロセッサベースのコンピュータ、光コンピュータ、アナログコンピュータ、専用プロセッサ、アプリケーション固有の回路及び／又は専用の配線論理回路を使用して、別の同等の実施形態を構築することができる。
【００３２】
上述の説明は、特定の実施形態に向けられてきたものであるが、当業者であれば、本明細書で説明した特定の実施形態に対して修正及び／又は変形を思いつくことができると理解される。本説明の範囲内に含まれる任意のこのような修正又は変形も、同様に本明細書に含まれることが意図される。本明細書における説明は例示を意図したものであるにすぎず、本発明の範囲を限定することを意図するものではない。
【図面の簡単な説明】
【００３３】
【図１】本発明の１つの実施形態により構成される復調器の簡略図である。
【図２】本発明の原理により構成される復調器のさらに詳細な概略図である。
【図３】本発明の１又はそれ以上の態様を実行するための処理のフロー図による実施形態である。
【図１】
2009534878.tif 000003
2009534878.tif 000004
【図２】
2009534878.tif 000005
【図３】
2009534878.tif 000006
【国際調査報告】
2009534878.tif 000007